(57)【要約】【課題】シールド機能を有する金属製の電気通信用のモジュラアダプタ夫々から簡単なアース接続によって電気を逃がすことで、当該モジュラアダプタ相互間の電磁的干渉等による信号波形の乱れ（ノイズ）の発生を未然に防止する。【解決手段】外側を金属製のシールドカバー２０にて囲繞した電気通信用モジュラアダプタＭＡと、該モジュラアダプタＭＡを脱着自在に実装する複数個の挿入開口部２を有する取付枠本体１と、前記モジュラアダプタＭＡを各挿入開口部２に実装した複数個の取付枠本体１を脱着自在に装着する窓孔４０を有するパッチパネルＰとを具備し、前記取付枠本体１の各挿入開口部２には、当該挿入開口部２に実装された全てのモジュラアダプタＭＡ外側のシールドカバー２０に接触する１つの導電性シールド材２１を配し、導電性シールド材２１にアース線Ｅを接続したものである。【選択図】図１
2019175601.tif 000002
【特許請求の範囲】
【請求項１】
外側を金属製のシールドカバーにて囲繞した電気通信用モジュラアダプタと、前記電気通信用モジュラアダプタを脱着自在に実装する複数個の挿入開口部を有する取付枠本体と、前記電気通信用モジュラアダプタを前記各挿入開口部に実装した複数個の取付枠本体を脱着自在に装着する窓孔を有するパネルとを具備した電気通信用シールドパッチパネルであって、前記取付枠本体の各挿入開口部には、当該挿入開口部に実装された全ての電気通信用モジュラアダプタ外側のシールドカバーに接触する１つの導電性シールド材を配し、該導電性シールド材にアース線を接続したことを特徴とする電気通信用シールドパッチパネル。
【請求項２】
前記導電性シールド材は、横長薄板単体からなる導電性シールドベース板部と、該ベース板部の後端縁に一体に突設された複数の導電性シールド端子部にて形成されていることを特徴とする請求項１記載の電気通信用シールドパッチパネル。
【請求項３】
前記シールドベース板部とシールド端子部とを側面視略くの字形状に形成し、前記シールドベース板部は前記取付枠本体の挿入開口部の全横幅に略対応した長さとなって配設すると共に、前記シールド端子部は幅方向一端側から挿入開口部内方に向けて上向傾斜状となって配設して成ることを特徴とする請求項２記載の電気通信用シールドパッチパネル。
【請求項４】
前記取付枠本体は、互いにパッチン止めにて一体となって前記挿入開口部が形成されるよう、前記電気通信用モジュラアダプタの縦幅に略対応した前側挿入開口部を有する前枠部と、前記電気通信用モジュラアダプタの縦幅よりも長い後側挿入開口部を有する後枠部とからなり、前記導電性シールド材の導電性シールドベース板部は前記挿入開口部下方の横方向に沿うようにして前記前枠部と後枠部との間に挟持され、前記導電性シールド端子部は、互いに隣接する前記挿入開口部相互間の仕切部を跨ぐようにして前記後側挿入開口部の内底面に配されてなることを特徴とする請求項１記載の電気通信用シールドパッチパネル。
【請求項５】
前記後枠部の後側挿入開口部には、その開口内縁下側から後方に向けて上向きＬ字状の下側係止突起を有し、前記電気通信用モジュラアダプタが後枠部の後方側から前記後側挿入開口部に挿入される際に、前記当該電気通信用モジュラアダプタのシールドカバー下面に突設された前面が下面に対して後方傾斜し後面が下面に対して垂直な略クサビ状となった下側嵌合突起が前記下側係止突起に係架されるものとしたことを特徴とする請求項４記載の電気通信用シールドパッチパネル。
【請求項６】
前記後枠部の後側挿入開口部には、その開口内縁上側から後方に向けて下向きＬ字状の上側係止突起を有し、前記電気通信用モジュラアダプタのシールドカバー上面に前方に向けて上向き傾斜状に突設されたラッチ片の略Ｖ字状に折り返された先端部が当該ラッチ片の下方向への押圧操作によって前記上側係止突起に下側から潜り込み係架されるものとしたことを特徴とする請求項４記載の電気通信用シールドパッチパネル。
【請求項７】
前記電気通信用モジュラアダプタのシールドカバーの左右壁面には縦長の係止突部を有し、当該電気通信用モジュラアダプタが後枠部の後方側から前記後側挿入開口部に挿入される際に当該後側挿入開口部における後側外縁部に前記係止突部が係止されるものとしたことを特徴とする請求項４記載の電気通信用シールドパッチパネル。
【請求項８】
前記後枠部の上下両端部には先端にテーパ面が形成された係止爪を有し、前記前枠部の上下両端部には前記係止爪に対応した係合孔部を有する水平突起を設け、該水平突起を係止爪のテーパ面に当接させた状態で押し込むことで当該水平突起が上方に撓曲しつつテーパ面に沿って移動することにより、前記水平突起の係合孔部に前記係止爪が係架することで、前記導電性シールド材のシールドベース板部は前記前枠部と後枠部との間に挟持された状態で当該前枠部と後枠部とが一体化されるものとしたことを特徴とする請求項４記載の電気通信用シールドパッチパネル。
【発明の詳細な説明】
【技術分野】
【０００１】
本発明は、電気通信用のモジュラアダプタを実装する複数の挿入開口部を有する取付枠本体をパネルの前面側から窓孔を介して挿入可能してなる電気通信用シールドパッチパネルに関する。
【背景技術】
【０００２】
従来、オフィスや工場等において、音声信号、ＬＡＮ等のディジタル信号、画像信号といった様々な情報伝達において伝送回線の信号同士の電磁的干渉による混線を防止するために、２本の信号線を軽く撚ることで電磁放射の向きを周期的に逆転させるいわゆるアンシールドツイストペアケーブルを用いた情報配線システムが広く用いられている。このような情報配線システムでは、オフィスのレイアウト変更等の理由により情報配線の変更が必要となる場合に備えて、パッチパネルと称するネットワークの配線作業を支援するための中継端子盤が用いられている。
【０００３】
例えば、特許文献１に開示されているように、モジュラプラグが着脱自在に接続されるプラグ挿入口を前面に有する複数のモジュラジャックと、被固定部位に固定するための固定手段を有し前記モジュラジャックが複数取り付けられるパネルとで構成され、複数のモジュラジャックを保持する保持部材を設け、複数のモジュラジャックを保持した保持部材を挿通させることのできる寸法に形成された窓孔と、パネルの前面側から窓孔を介して挿入された保持部材を、窓孔からモジュラジャック前面を露出させた状態で着脱自在に取り付ける取付手段をパネルに設けてなるパッチパネルが提供されている。
【０００４】
ところで、近年においては、前記伝送回線での混線防止の他にコネクタ・アダプタにおけるノイズ漏れによる電子機器内のデータやり取りに乱れや通信不能といった不具合の発生を無くすための様々な工夫がなされている。
【０００５】
具体的には特許文献２に示すように、レセプタクルコネクタにおけるシールド部材を、一方のコネクタ嵌合部を囲む完全シールド構成にすると共に、プラグコネクタにおけるシールド部材が、他方のコネクタ嵌合部を囲む完全シールド構成にしたシールド付き電気コネクタが公知である。
【０００６】
また、特許文献３に示すように、ハウジングの４方面（上面、両側面、後面）を覆った箱型金属製のシールド部材における両側面壁で一体的に形成された接地用片における端子部と後面壁で一体的に形成された一対の端子部とが接続対象物である配線基板の接地箇所に直接的に装着されて接地接続される構造としたシールド型電気コネクタが公知である。
【先行技術文献】
【特許文献】
【０００７】
【特許文献１】特許第３４８２９０７号公報
【特許文献２】特開２００６−５９５８９号公報
【特許文献３】特開２００５−５０１４号公報
【発明の概要】
【発明が解決しようとする課題】
【０００８】
しかしながら、前記した特許文献２におけるシールド部材によるコネクタ構成を前記した特許文献１に記載された従来の電気通信用シールドパッチパネルに応用すべく取付枠本体に電磁シールド機能を有する金属製のモジュラアダプタを横一列に近接して実装した場合には、当該モジュラアダプタ相互間の電磁的干渉等による信号波形の乱れ（ノイズ）が発生してしまう虞がある。
【０００９】
また、前記した特許文献３においては、シールド部材に覆われたハウジング毎に配線基板の接地箇所に接続（アース接続）する必要があり、構成が煩雑化し、製造作業においても非常に面倒である。
【００１０】
そこで、本発明は、叙上のような従来存した諸事情に鑑み案出されたもので、シールド機能を有する金属製のモジュラアダプタ夫々から簡単なアース接続によって電気を逃がすことで、モジュラアダプタ相互間の電磁的干渉等による信号波形の乱れ（ノイズ）の発生を未然に防止できるものとした簡易構成で、且つ利便性に優れた電気通信用シールドパッチパネルを提供することを目的とする。
【課題を解決するための手段】
【００１１】
上述した課題を解決するために、本発明にあっては、外側を金属製のシールドカバーにて囲繞した電気通信用モジュラアダプタと、前記電気通信用モジュラアダプタを脱着自在に実装する複数個の挿入開口部を有する取付枠本体と、前記電気通信用モジュラアダプタを前記各挿入開口部に実装した複数個の取付枠本体を脱着自在に装着する窓孔を有するパネルとを具備した電気通信用シールドパッチパネルであって、前記取付枠本体の各挿入開口部には、当該挿入開口部に実装された全ての電気通信用モジュラアダプタ外側のシールドカバーに接触する１つの導電性シールド材を配し、該導電性シールド材にアース線を接続したことを特徴とする。
【００１２】
前記導電性シールド材は、横長薄板単体からなる導電性シールドベース板部と、該ベース板部の後端縁に一体に突設された複数の導電性シールド端子部にて形成されていることを特徴とする。
【００１３】
前記シールドベース板部とシールド端子部とを側面視略くの字形状に形成し、前記シールドベース板部は前記取付枠本体の挿入開口部の全横幅に略対応した長さとなって配設すると共に、前記シールド端子部は幅方向一端側から挿入開口部内方に向けて上向傾斜状となって配設して成ることを特徴とする。
【００１４】
前記取付枠本体は、互いにパッチン止めにて一体となって前記挿入開口部が形成されるよう、前記電気通信用モジュラアダプタの縦幅に略対応した前側挿入開口部を有する前枠部と、前記電気通信用モジュラアダプタの縦幅よりも長い後側挿入開口部を有する後枠部とからなり、前記導電性シールド材の導電性シールドベース板部は前記挿入開口部下方の横方向に沿うようにして前記前枠部と後枠部との間に挟持され、前記導電性シールド端子部は、互いに隣接する前記挿入開口部相互間の仕切部を跨ぐようにして前記後側挿入開口部の内底面に配されてなることを特徴とする。
【００１５】
前記後枠部の後側挿入開口部には、その開口内縁下側から後方に向けて上向きＬ字状の下側係止突起を有し、前記電気通信用モジュラアダプタが後枠部の後方側から前記後側挿入開口部に挿入される際に、前記当該電気通信用モジュラアダプタのシールドカバー下面に突設された前面が下面に対して後方傾斜し後面が下面に対して垂直な略クサビ状となった下側嵌合突起が前記下側係止突起に係架されるものとしたことを特徴とする。
【００１６】
前記後枠部の後側挿入開口部には、その開口内縁上側から後方に向けて下向きＬ字状の上側係止突起を有し、前記電気通信用モジュラアダプタのシールドカバー上面に前方に向けて上向き傾斜状に突設されたラッチ片の略Ｖ字状に折り返された先端部が当該ラッチ片の下方向への押圧操作によって前記上側係止突起に下側から潜り込み係架されるものとしたことを特徴とする。
【００１７】
前記電気通信用モジュラアダプタのシールドカバーの左右壁面には縦長の係止突部を有し、当該電気通信用モジュラアダプタが後枠部の後方側から前記後側挿入開口部に挿入される際に当該後側挿入開口部における後側外縁部に前記係止突部が係止されるものとしたことを特徴とする。
【００１８】
前記後枠部の上下両端部には先端にテーパ面が形成された係止爪を有し、前記前枠部の上下両端部には前記係止爪に対応した係合孔部を有する水平突起を設け、該水平突起を係止爪のテーパ面に当接させた状態で押し込むことで当該水平突起が上方に撓曲しつつテーパ面に沿って移動することにより、前記水平突起の係合孔部に前記係止爪が係架することで、前記導電性シールド材のシールドベース板部は前記前枠部と後枠部との間に挟持された状態で当該前枠部と後枠部とが一体化されるものとしたことを特徴とする。
【発明の効果】
【００１９】
本発明によれば、シールド機能を有する金属製の電気通信用モジュラアダプタ夫々からアース接続によって電気を逃がすことで、当該電気通信用モジュラアダプタ相互間の電磁的干渉等による信号波形の乱れ（ノイズ）の発生を未然に防止することができる。
【００２０】
すなわち、本発明では、外側を金属製のシールドカバーにて囲繞した電気通信用モジュラアダプタと、前記電気通信用モジュラアダプタを脱着自在に実装する複数個の挿入開口部を有する取付枠本体と、前記電気通信用モジュラアダプタを前記各挿入開口部に実装した複数個の取付枠本体を脱着自在に装着する窓孔を有するパッチパネルとを具備した電気通信用シールドパッチパネルであって、前記取付枠本体の各挿入開口部には、当該挿入開口部に実装された全ての電気通信用モジュラアダプタ外側のシールドカバーに接触する１つの導電性シールド材を配し、該導電性シールド材にアース線を接続したので、前記電気通信用モジュラアダプタと導電性シールド材との接触が確実なものとなり、シールド機能を有する金属製の電気通信用モジュラアダプタ夫々から電気を確実に逃がすことができる。
【００２１】
前記導電性シールド材は、横長薄板単体からなる導電性シールドベース板部と、該ベース板部の後端縁に一体に突設された複数の導電性シールド端子部にて形成されているので、従来のようなシールド部材に覆われたハウジング毎に配線基板の接地箇所に接続（アース接続）する必要がなくなり、電気通信用モジュラアダプタ夫々のアース接続が簡単且つスムーズに行える。したがって、利便性に極めて優れている。
【００２２】
前記シールドベース板部とシールド端子部とを側面視略くの字形状に形成し、前記シールドベース板部は前記取付枠本体の挿入開口部の全横幅に略対応した長さとなって配設すると共に、前記シールド端子部は幅方向一端側から挿入開口部内方に向けて（鈍角）上向傾斜状となって配設して成るので、前記取付枠本体の挿入開口部に挿入された電気通信用モジュラアダプタに対する導電性シールド材の接触が確実に行える。
【００２３】
前記取付枠本体は、互いにパッチン止めにて一体となって前記挿入開口部が形成されるよう、前記電気通信用モジュラアダプタの縦幅に略対応した前側挿入開口部を有する前枠部と、前記電気通信用モジュラアダプタの縦幅よりも長い後側挿入開口部を有する後枠部とからなり、前記導電性シールド材の導電性シールドベース板部は前記挿入開口部下方に沿うようにして前枠部と後枠部との間に挟持され、前記導電性シールド端子部は、互いに隣接する前記挿入開口部相互間の仕切部を跨ぐようにして配されてなるので、前記取付枠本体への導電性シールド材の組付けが容易に行えると同時に挿入開口部に挿入された電気通信用モジュラアダプタに対する導電性シールド材の接触が確実に行える。
【００２４】
前記後枠部の後側挿入開口部には、その開口内縁下側から後方に向けて上向きＬ字状の下側係止突起を有し、前記電気通信用モジュラアダプタが後枠部の後方側から前記後側挿入開口部に挿入される際に、前記電気通信用モジュラアダプタ外側に囲繞された金属製のシールドカバー下面に突設された前面が下面に対して後方傾斜し後面が下面に対して垂直な略クサビ状となった下側嵌合突起が前記下側係止突起に係架されるものとしたので、前記電気通信用モジュラアダプタの下面側を後方に傾けながら容易且つ迅速に挿入することができる。
【００２５】
前記後枠部の後側挿入開口部には、その開口内縁上側から後方に向けて下向きＬ字状の上側係止突起を有し、前記電気通信用モジュラアダプタ外側に囲繞された金属製のシールドカバー上面に前方に向けて上向き傾斜状に突設されたラッチ片の略Ｖ字状に折り返された先端部が当該ラッチ片の下方向への押圧操作によって前記上側係止突起に下側から潜り込み係架されるものとしたので、前記電気通信用モジュラアダプタの上面側を水平状態に戻しながら容易に挿入することができ、挿入後には、前記ラッチ片の先端部による上側係止突起内側への係止により、誤脱することなく前記電気通信用モジュラアダプタを確実に保持しておくことができる。
【００２６】
前記シールドカバーの左右壁面には縦長の係止突部を有し、前記電気通信用モジュラアダプタが後枠部の後方側から前記後側挿入開口部に挿入される際に当該後側挿入開口部における後側外縁部に前記係止突部が係止されるものとしたので、前記電気通信用モジュラアダプタの挿入後に、前記取付枠本体の挿入開口部の前方側に不用意に逸脱してしまうのを未然に防止することができる。
【００２７】
前記後枠部の上下両端部には先端にテーパ面が形成された係止爪を有し、前記前枠部の上下両端部には前記係止爪に対応した係合孔部を有する水平突起を設け、該水平突起を係止爪のテーパ面に当接させた状態で押し込むことで当該水平突起が上方に撓曲しつつテーパ面に沿って移動することにより、前記水平突起の係合孔部に係止爪が係架することで、前記導電性シールド材のシールドベース板部は前記前枠部と後枠部との間に挟持された状態で当該前枠部と後枠部とが一体化されるものとしたので、前記取付枠本体のパネルへの組付けが容易に行えると同時に導電性シールド材の組付けも容易且つ確実に行える。
【図面の簡単な説明】
【００２８】
【図１】本発明を実施するための一形態を示す導電性シールド材を備えた取付枠本体を示し、（ａ）は前方の斜め上方から視た分解斜視図、（ｂ）は前方の斜め下方から視た分解斜視図である。
【図２】導電性シールド材の組立後の状態を示し、（ａ）は前方の斜め上方から視た分解斜視図、（ｂ）は前方の斜め下方から視た分解斜視図である。
【図３】取付枠本体の組立後の状態を示し、（ａ）は前方の斜め上方から視た斜視図、（ｂ）は前方の斜め下方から視た斜視図である。
【図４】取付枠本体の分解状態を示し、（ａ）は後枠部の平面図、（ｂ）は導電性シールド材の平面図、（ｃ）は前枠部の平面図、（ｄ）は導電性シールド材を取付ける状態の後枠部の右側面図、（ｅ）は前枠部の正面図、（ｆ）は前枠部の右側面図である。
【図５】取付枠本体に導電性シールド材を組付けた状態を示し、（ａ）は平面図、（ｂ）は正面図、（ｃ）は右側面図である。
【図６】取付枠本体の背面側から全ての挿入開口部に電気通信用モジュラアダプタを装着した状態を示し、（ａ）は前方の斜め上方から視た斜視図、（ｂ）は前方の斜め下方から視た斜視図である。
【図７】同じく取付枠本体の背面側から全ての挿入開口部に電気通信用モジュラアダプタを装着した状態を示し、（ａ）は平面図、（ｂ）は正面図、（ｃ）は底面図、（ｄ）は右側面図である。
【図８】ハウジングの外側を金属製のシールドカバーにて囲繞してなる電気通信用モジュラアダプタを示し、（ａ）は前方の斜め上方から視た斜視図、（ｂ）は右側面図、（ｃ）は前方の斜め下方から視た斜視図、（ｄ）は平面図、（ｅ）は正面図である。
【図９】図９中、（ａ）乃至（ｄ）は取付枠本体の背面側から挿入開口部に電気通信用モジュラアダプタを組付ける手順を一部断面で示す右側面図である。
【図１０】電気通信用モジュラアダプタを装着した取付枠本体をパネルに取付け、さらにラックに取付けた状態の一部断面で示す右側面図である。
【図１１】電気通信用モジュラアダプタを取付けた状態の複数の取付枠本体をパネルに実装した斜視図である。
【図１２】電気通信用アダプタを取付けた取付枠本体を全て取外した状態のパネルのみの斜視図である。
【発明を実施するための形態】
【００２９】
以下、図面を参照して本発明に係る電気通信用シールドパッチパネルの実施の一形態を詳細に説明する。
【００３０】
＜電気通信用シールドパッチパネルの全体構成＞
本実施形態における電気通信用シールドパッチパネルは、電気通信用のモジュラプラグ（図示せず）が着脱自在に接続されるハウジングＨの外側を金属製のシールドカバー２０にて囲繞してなる電気通信用モジュラアダプタＭＡ（後述する図８参照）と、複数（例えば６個、後述する図１１参照）の電気通信用モジュラアダプタＭＡを横一列に並べて保持する取付枠本体１と、該取付枠本体１の各挿入開口部２に実装された全ての電気通信用モジュラアダプタＭＡ外側のシールドカバー２０に接触し且つアース線Ｅを接続した１つの導電性シールド材２１と、複数（例えば４個、後述する図１２参照）の取付枠本体１が横一列に並べて取付けられ、ラックＬ等の被固定部位に取付けられるパネルＰとで構成される（後述する図１０参照）。
【００３１】
＜取付枠本体の構成＞
図１乃至図５に示すように、本実施形態における取付枠本体１は、電気通信用モジュラアダプタＭＡの縦幅に略対応した前側挿入開口部２Ａを有する矩形板状の前枠部１Ａと、電気通信用モジュラアダプタＭＡの縦幅よりも長い後側挿入開口部２Ｂを有する矩形板状の後枠部１Ｂとからなり、両者が互いにパッチン止めにて一体となって挿入開口部２が形成される。
なお、前記取付枠本体１の前後挿入開口部２Ａ、２Ｂの横幅は電気通信用モジュラアダプタＭＡの横幅と同等に形成されている。
【００３２】
その具体的なパッチン止め機構としては、図１、図２、図３、図４に示すように、前記後枠部１Ｂの上下両端部の左右対称位置に、先端にテーパ面が形成された係止爪１１が中央に形成された溝部１１Ｂを設け、前記後枠部１Ｂの上下両端部の中央には左右方向に沿って嵌合溝部１Ｃが形成されている。前記溝部１１Ｂに対応して、前記前枠部１Ａの上下両端部の左右対称位置には後方に向かう水平突起１２を設け、この水平突起１２には前記係止爪１１が係合する係合孔部１２Ａが形成されている。
【００３３】
また、前記後枠部１Ｂの嵌合溝部１Ｃに対応して、前記前枠部１Ａの中央には左右方向に沿って後方に向かう嵌合突起１Ｄが形成されている。組付けに際し、前記水平突起１２を係止爪１１のテーパ面に当接させた状態で押し込むことで当該水平突起１２が上方に撓曲しつつテーパ面に沿って移動することにより、前記水平突起１２の係合孔部１２Ａに前記係止爪１１が係合すると同時に当該水平突起１２は溝部１１Ｂに嵌合し、また嵌合溝部１Ｃには嵌合突起１Ｄが嵌合する。これにより前枠部１Ａと後枠部１Ｂとが一体化される（図３の嵌合状態参照）。さらに、図１（ｂ）、図２（ｂ）、図３（ｂ）、図４（ａ）、図４（ｄ）、図１０において、符号１Ｅは、パネルＰの窓孔Ｑの内縁に係止させるための係止突起である。
【００３４】
本実施形態においては、前記導電性シールド材２１は、横長薄板単体からなる導電性シールドベース板部４と、該ベース板部４の後端縁に一体に突設された複数の導電性シールド端子部３にて形成されている。また、前記シールドベース板部４と導電性シールド端子部３とを側面視略くの字形状に形成し、前記導電性シールドベース板部４は前記取付枠本体１の挿入開口部２に沿った下方側に内装されると共に、前記シールド端子部３は幅方向一端側（図示では上端側）から前記取付枠本体１の挿入開口部２内方に向けて（鈍角）上向傾斜状となってバネ性を付与した状態で配設され、前記取付枠本体１の挿入開口部２に実装された全ての電気通信用モジュラアダプタＭＡのシールドカバー２０に接触する横長薄板単体による導電性シールドベース板部４が前枠部１Ａと後枠部１Ｂとの間に挟持された状態で両前後枠部１Ａ、１Ｂとが一体化される。
【００３５】
このとき、図１（ａ）、図２（ａ）、図３（ａ）に示すように、導電性シールド端子部３は、互いに隣接する前記取付枠本体１の挿入開口部２相互間の仕切部２Ｃを跨ぐようにして配置される。各挿入開口部２においては、左右の仕切部２Ｃの各内壁側に導電性シールド端子部３が対向配置され、これら導電性シールド端子部３の間（前記取付枠本体１の挿入開口部２の下側内縁部中央）には所定幅の隙間が形成される。
【００３６】
具体的には、前記導電性シールド材２１の導電性シールドベース板部４は、前記取付枠本体１の各挿入開口部２の全横幅よりも若干長い金属製帯板によって形成され、当該挿入開口部２下方に沿うよう取付枠本体１に内装される。この場合、図１に示すように、前記取付枠本体１の後枠部１Ｂの方の後側挿入開口部２Ｂより下側左右両端に形成された矩形溝部１１Ａに、導電性シールドベース板部４の両端に直角方向に突設した保持板４Ａが挿入され、必要に応じてネジ止等で当該保持板４Ａは固定される。なお、図１０に示すように、片方の保持板４Ａには、アース線Ｅが接続され、該アース線Ｅの端部の圧着端子は、ラックＬの背面側内壁面に設けられたアースバーＥＨにネジＮ等で固定される。
【００３７】
前記後枠部１Ｂの後側挿入開口部２Ｂには、その開口内縁下側から後方に向けて上向きＬ字状の下側係止突起５が形成され、一方、前記後枠部１Ｂの後側挿入開口部２Ｂには、その開口内縁上側から後方に向けて下向きＬ字状の上側係止突起８が形成されている。なお、下側係止突起５及び上側係止突起８の各機能（作用）ついては後述する。
【００３８】
また、図１乃至図７に示すように、前記取付枠本体１の前枠部１Ａの下縁端中央には、手指の例えば親指腹部側を上方に向けて若干差し込めることができる程度、あるいはマイナスドライバ等の工具を差し込める程度の縦横幅に十分な広さを有する略台形状の切欠部１０が形成されている。而して、前記したパネルＰが上下方向に複数段となってラックＬ等の被固定部位に実装されている場合であっても、上下のパネルＰの取付枠本体相互間に、切欠部１０によって手指やマイナスドライバ等の工具が容易に差し込める十分な隙間が形成されるため、パネルＰの窓孔Ｑから取付枠本体１がスムーズに取り外せることとなる。
【００３９】
＜電気通信用モジュラアダプタの構成＞
図８に示すように、電気通信用モジュラアダプタＭＡのハウジングＨは、絶縁性を有する合成樹脂の前後面が略矩形状に形成された成形品の外周（後述のプラグ挿入口Ｈ１を除く）が、金属製外郭（外皮）からなるシールドカバー２０によってシールド（被覆）されている。前記ハウジングＨの前面及び後面にはモジュラプラグ（図示せず）が挿入されるプラグ挿入口Ｈ１が開口し、各プラグ挿入口Ｈ１内には当該モジュラプラグ（図示せず）の接触子と弾接するように複数本の電気コンタクトＣが配設されている（図８（ｃ）、図８（ｅ）参照）。
【００４０】
前記シールドカバー２０（電気通信用モジュラアダプタＭＡのハウジングＨ）は、図８（ｂ）、図８（ｃ）、図８（ｅ）、図９、図１０に示すように、その下面に、前面が当該下面に対して後方傾斜し、且つ後面が下面に対して垂直となした断面略クサビ状の横長（左右方向に延びた）の下側嵌合突起６が突設されており、前記電気通信用モジュラアダプタＭＡが後枠部１Ｂの背面（後方）側から前記後側挿入開口部２Ｂに挿入された際には、この下側嵌合突起６が前記下側係止突起５に係架保持されることとなる。
【００４１】
また、図６（ａ）、図７（ａ）、図７（ｄ）、図８（ａ）、図８（ｂ）、図８（ｄ）、図８（ｅ）、図９、図１０に示すように、前記シールドカバー２０（前記電気通信用モジュラアダプタＭＡのハウジングＨ）上面には、前方に向けて上向き傾斜状に突設されたラッチ片７が付設されており、前記電気通信用モジュラアダプタＭＡが前記後枠部１Ｂの背面（後方）側から前記後側挿入開口部２Ｂに挿入された際には、ラッチ片７の略Ｖ字状に折り返された先端部７Ａが手指等によるラッチ片７の下方向への押圧操作によって前記上側係止突起８に下側から潜り込み、その後の押圧解除に伴い前記上側係止突起８内側において係架保持されることとなる。
【００４２】
さらに、図７（ａ）、図７（ｃ）、図７（ｄ）、図８（ａ）、図８（ｂ）、図８（ｃ）、図８（ｄ）、図８（ｅ）、図９、図１０に示すように、前記シールドカバー２０（前記電気通信用モジュラアダプタＭＡのハウジングＨ）の左右壁面には、縦長の係止突部９が形成されており、当該電気通信用モジュラアダプタＭＡが後枠部１Ｂの背面（後方）側から前記後側挿入開口部２Ｂに挿入された際には、当該後側挿入開口部２Ｂにおける後側外縁部（仕切部２Ｃ）に前記係止突部９が所定位置において係止されることとなる。
【００４３】
＜パネルの構成＞
本実施形態におけるパネルＰは、図１１、図１２に示すように、前面が略矩形状で且つ側面でコの字形状に形成されており、当該パネルＰ前面の長手方向における両端部は、パネルＰをラックＬ等の被固定部位にねじ止めするための取付ネジを挿通する一対の長孔Ｓがそれぞれ穿設された支持部Ｒとなっている。また、このパネルＰの前面には、略矩形状の窓孔Ｑが形成されており、そこには互いに異なるポート仕様の取付枠本体１が横一列となって組合せ実装された状態で塞がれる。なお、前記パネルＰの窓孔Ｑには補強のための仕切部Ｔが各取付枠本体１の横幅寸法に対応して複数等間隔毎に設けられているが、当該パネルＰの強度が充分で仕切部Ｔによる補強が必要なければ削除してもよい。
【００４４】
次に、以上のように構成された形態についての使用の一例について説明する。
まず、図９（ａ）に示すように、取付枠本体１の挿入開口部２の背面（後方）側から、ハウジングＨの外側を金属製のシールドカバー２０にて囲繞してなる電気通信用モジュラアダプタＭＡを挿入する。このとき、図９（ｂ）、図９（ｃ）に示すように、電気通信用モジュラアダプタＭＡの前方側を若干上方向に傾けて挿入し、取付枠本体１の挿入開口部２の下側嵌合突起６に、電気通信用モジュラアダプタＭＡ（シールドカバー２０）下面の下側係止突起５を引っ掛ける。
【００４５】
次いで、電気通信用モジュラアダプタＭＡ（シールドカバー２０）上面のラッチ片７を手指で押圧しながら、電気通信用モジュラアダプタＭＡの前方側を元の水平状態に戻し、ラッチ片７の先端部７Ａが前記上側係止突起８に下側から潜り込ませた状態で、ラッチ片７を押圧解除する。このとき、取付枠本体１の挿入開口部２内にてバネ性を付与した前記導電性シールド材２１の導電性シールド端子部３は前記電気通信用モジュラアダプタＭＡ（シールドカバー２０）の底面に接触（圧接）して電気的導通状態となる。
【００４６】
而して、図９（ｄ）及び図１０に示すように、ラッチ片７の先端部７Ａは前記上側係止突起８の内側に係架され、電気通信用モジュラアダプタＭＡは取付枠本体１に保持される。この電気通信用モジュラアダプタ夫々のシールド機能を有する金属製のシールドカバー２０から導電性シールド材２１を介して接続されたアース線Ｅによって電気を逃がすことで、当該電気通信用モジュラアダプタＭＡ相互間の電磁的干渉等による信号波形の乱れ（ノイズ）の発生を未然に防止することができる。
【００４７】
なお、前記取付枠本体１の挿入開口部２の背面（後方）側から電気通信用モジュラアダプタＭＡを取外す場合には、先ず、ラッチ片７を手指の操作で押圧し、ラッチ片７の先端部７Ａの前記上側係止突起８内側への係止を解除する。そして、電気通信用モジュラアダプタＭＡの前方側を若干上方向に傾ければ前記取付枠本体１の挿入開口部２から容易に引き出すことができる。
【符号の説明】
【００４８】
Ｐ      パネル
Ｑ      窓孔
Ｒ      支持部
Ｓ      長孔
Ｔ      仕切部
Ｃ      電気コンタクト
Ｌ      ラック
Ｅ      アース線
ＥＨ    アースバー
ＭＡ    電気通信用モジュラアダプタ
Ｈ      ハウジング
Ｈ１    プラグ挿入口
１      取付枠本体
１Ａ    前枠部
１Ｂ    後枠部
１Ｃ    嵌合溝部
１Ｄ    嵌合突起
１Ｅ    係止突起
２      挿入開口部
２Ａ    前側挿入開口部
２Ｂ    後側挿入開口部
２Ｃ    仕切部
３      導電性シールド端子部
４      導電性シールドベース板部
４Ａ    保持部
５      下側係止突起
６      下側嵌合突起
７      ラッチ片
７Ａ    先端部
８      上側係止突起
９      係止突部
１０    切欠部
１１    係止爪
１１Ａ  矩形溝部
１１Ｂ  溝部
１２    水平突起
１２Ａ  係合孔部
２０    シールドカバー
２１    導電性シールド材
【図１】
2019175601.tif 000003
【図２】
2019175601.tif 000004
【図３】
2019175601.tif 000005
【図４】
2019175601.tif 000006
【図５】
2019175601.tif 000007
【図６】
2019175601.tif 000008
【図７】
2019175601.tif 000009
【図８】
2019175601.tif 000010
【図９】
2019175601.tif 000011
【図１０】
2019175601.tif 000012
【図１１】
2019175601.tif 000013
【図１２】
2019175601.tif 000014